(57)【要約】  本発明は、排出用量の判定を改良するためのピストンロッドブレーキ機構を有するペン型注入装置（１）を提供する。【選択図】図８
2020519356.tif 000002
【特許請求の範囲】
【請求項１】
ペン型注入装置（１）であって、
一般軸に沿って延びるハウジング（２、１０２）と、
カートリッジ本体（１０．１、１１０．１）と、貫通可能な隔壁（１１）と、ピストン（１５、１１５）と、を備え、一緒に液体物質を保持するように適合された可変容積リザーバーを画定する、カートリッジ（１０、１１０）であって、前記ハウジング（２、１０２）に対して回転的に固定されているカートリッジ（１０、１１０）と、
前記液体物質の用量を前記カートリッジ（１０、１１０）から排出するための用量排出機構であって、前記ピストン（１５、１１５）を進めるためのピストンロッド構造を備え、前記ピストンロッド構造が、
前記ハウジング（２、１０２）と螺合し、かつ回転するように適合され、これによって用量排出中に前記カートリッジ本体（１０．１、１１０．１）に対して螺旋運動を受けるピストンロッド（６０、１６０）、および
ピストンロッド（６０、１６０）へと回転的に係止され、かつ前記ピストン（１５、１１５）と調和するように適合されたピストンロッド足部（６１、１６１）を備える用量排出機構と、
所定の用量の増分の排出に対応するピストンロッド（６０、１６０）の角変位で検出可能な出力を生成する出力手段（８．１、８．２、２０）であって、これによって用量排出事象中に生成される検出可能な出力の総数が排出用量のサイズを示す、出力手段（８．１、８．２、２０）と、を備え、
前記ピストンロッド（６０、１６０）の回転運動を遅くするよう構成されたブレーキ機構であって、前記カートリッジ本体（１０．１、１１０．１）の一部を形成する第一の接触面（１０．２、１１０．２）と、前記第一の接触面（１０．２、１１０．２）と接触して配置される、または配置されるように適合され、かつ前記ピストンロッド構造に対して回転的に係止される第二の接触面（１５．１、１６４）と、を備えるブレーキ機構をさらに備える、ペン型注入装置（１）。
【請求項２】
前記検出可能な出力が触覚出力および／または可聴出力である、請求項１に記載のペン型注入装置。
【請求項３】
前記検出可能な出力を電子的に登録するように構成された検出機構をさらに備える、請求項１または２に記載のペン型注入装置。
【請求項４】
前記出力手段（８．１、８．２、２０）が、他のハウジング部分に対して撓むことができる撓み可能なハウジング部分（８．１）と、前記ピストンロッド構造に対して回転的に係止され、かつ前記ハウジング（２、１０２）に対して前記特定の角変位を受けることに応答して、前記撓み可能なハウジング部分（８．１）が撓むように配置された起動要素（２０）と、を備え、
前記検出機構が、前記撓み可能なハウジング部分（８．１）上に配置され、かつその撓みを検出するように適合されたセンサー（９０）と、前記センサー（９０）に電子的に接続され、かつ前記センサー（９０）によって検出された撓みを処理するように構成されたプロセッサー（８２）を備える、請求項３に記載のペン型注入装置。
【請求項５】
前記第二の接触面（１５．１）が、前記ピストン（１５）の一部を形成し、かつ前記ピストン（１５）および前記ピストンロッド（６０）が回転的に相互係止されている、請求項１〜４のいずれかに記載のペン型注入装置。
【請求項６】
前記ピストンロッド足部（６１）が、前記ピストン（１５）のそれぞれの周辺部分の中へと押し込まれる複数の間隔を置いた突起（６２）を備える、請求項５に記載のペン型注入装置。
【請求項７】
前記第二の接触面（１６４）が、前記ピストンロッド足部（１６１）の一部を形成する、請求項１〜４のいずれかに記載のペン型注入装置。
【請求項８】
前記ピストン（１１５）が、第一の硬度および第一の圧縮永久歪みを有する第一の境界面材料を含み、かつ前記ピストンロッド足部（１６１）が、前記第一の硬度よりも小さい第二の硬度および前記第一の圧縮永久歪みよりも高い第二の圧縮永久歪みを有する第二の境界面材料を含み、前記第二の境界面材料が、前記第一の境界面材料と加圧当接するように配置される、請求項７に記載のペン型注入装置。
【請求項９】
前記第二の接触面（１６４）が前記第二の境界面材料から形成される、請求項８に記載のペン型注入装置。
【請求項１０】
前記ピストンロッド（６０、１６０）の回転をもたらすためにエネルギーを提供するためのエネルギー貯蔵ユニット（４０）をさらに備える、請求項１〜９のいずれかに記載のペン型注入装置。
【発明の詳細な説明】
【技術分野】
【０００１】
本発明は、薬物リザーバーから一つ以上の用量の薬物を排出することができる注入装置に関する。
【背景技術】
【０００２】
糖尿病ケアでは、従来のバイアルおよびシリンジシステムを使用して実施されるセグメント非経口的薬物投与は、ペン注入装置を使用する投与によってますます置き換えられている。ペン注入装置は、最初に、特定の用量を一つのリザーバー（バイアル）から別のリザーバー（シリンジ）へと手動で移動する必要なしに、ユーザーが予め充填された薬物リザーバーから用量の注入を実施できるという点で特に都合が良い。
【０００３】
主に、二つのタイプのペン注入装置が利用できる。耐久性のある注入装置は、使用前に装置の中へと装填し、かつ使い果たした後に交換することができる、予め充填された薬物カートリッジから一つ以上の用量の薬物を送達できる。また、使い捨て注入装置は、予め充填された非交換式の薬物カートリッジから薬物の一つ以上の用量を送達することができる。これらのタイプのペン注入装置の各々は、例えば、例えば、薬物カートリッジから一回の投与のみを送達するように適合されたシングルショット装置、薬物カートリッジから複数の用量を送達できるマルチショット装置、ユーザーが注入に必要な力を提供する手動装置、注入の機会に解放可能な組み込みエネルギー源を有する自動装置、所定の用量の薬物を送達するように適合された固定用量装置、ユーザーが設定可能なさまざまな用量の薬物の送達を提供する可変用量装置などのような様々なサブタイプで実現されるか、または原理として実現されうる。
【０００４】
ラベルとして、耐久性のある注入装置は、複数の薬物カートリッジがその間に使い果たされおよび交換される相当な期間にわたって使用することを意図しており、一方で、使い捨て注入装置は、その専用薬物カートリッジが使い果たされるまで使用することが意図されており、その後、注入装置全体が廃棄されることを示唆する。
【０００５】
糖尿病の治療では、特定の薬物（例えば、インスリンまたはｇｌｐ−１）の投与された用量だけでなく、用量投与のそれぞれの回数を記録を保持することが望ましい。したがって、一部の注入装置は、電子的用量捕捉、およびデジタル表示上の用量関連情報をレビューする機会を提供する。
【０００６】
自動注入装置は、多くの場合、圧縮バネまたはねじりバネのいずれかによって動力供給されるが、バネに対する代替品を使用してもよい。
【０００７】
Ｎｏｖｏ  Ｎｏｒｄｉｓｋ  Ａ／Ｓによって製造されるＦｌｅｘＴｏｕｃｈ（登録商標）インスリン注入装置は、自動ペン型注入装置の一例であり、ここで薬物排出機構はねじりバネによって動力供給される。ねじりバネは、用量設定中に張力がかけられ、そして注入ボタンをわずかに押し下げることによって放出される。放出された時、ねじりバネは、駆動チューブを回転させ、これがピストンロッドの回転を起こす。ピストンロッドの回転は、外部ハウジングに対してその螺旋状変位に変換される。ピストンロッド足部は、ピストンロッドの遠位端に回転的に自由に連結され、またピストンロッドからインスリンを含有するカートリッジ内のゴムピストンへと力を伝達するように機能し、それに応じてこのゴムピストンは併進して用量送達を達成する。
【発明の概要】
【発明が解決しようとする課題】
【０００８】
薬物排出機構は、薬物排出機構の構成要素の特定の角変位と相関して、インスリンの各排出された単位に対してクリック音の形態の可聴的なフィードバックを提供し、そして実際に排出された用量は、したがって発したクリック音の数を登録することによって判定されうる。しかしながら、インスリン排出作用の初期段階では、バネ駆動構成要素は、注入装置（特にピストン）の弾性部の軸方向の圧縮に起因して、非常に速く移動する。これは、最初の３〜５排出ユニットの間に生成されたクリックは区別が困難な可能性があることを意味する。事実、正確な電子検出でさえも困難である場合がある。この問題は自動注入装置内でより支配的でありうる一方、実際には、手動注入装置にも関連するもので、その場合、ユーザーにとって、用量排出作用の初期段階で注入ボタンを押し下げる速度を制御するのが困難である可能性がある。
【課題を解決するための手段】
【０００９】
先行技術の少なくとも一つの欠点を除去または減少させること、または先行技術の解決に対する有用な代替案を提供することが、本発明の目的である。
【００１０】
特に、用量排出作用の初期段階で生成された出力の検出がより容易な注入装置を提供して、より正確な排出用量の判定を可能にすることが、本発明の一つの目的である。
【００１１】
用量排出作用全体を通して反復した出力がより均一に生成される注入装置を提供することが、本発明のさらなる目的である。
【００１２】
本発明の開示では、上記の目的のうちの一つ以上に対処する、および／または、以下の文章から明らかである目的に対処する態様および実施形態が記載される。
【００１３】
本発明の原理を具現化する注入装置は、ピストンアクチュエータの螺旋状の動きによって、ピストンを有するリザーバーから液体物質（薬物など）を排出するように動作可能な用量排出機構と、ピストンアクチュエータの所定の角変位に応答して、検出可能な出力を生成するための手段と、ピストンアクチュエータに対して回転的に係止され、かつ非回転部品と接触して配置された、または接触して配置されるように適合された接触面と、を備える。接触面および非回転部品はこれによって、ピストンアクチュエータの角変位の間に相対的回転運動を受ける。この相対的回転運動は、前記接触面と前記非回転部品との間の接触境界面における摩擦の影響下で生じ、摩擦はピストンアクチュエータの当初の回転を制動し、これによってより簡単に識別可能な出力が注入装置上または注入装置によって実施される用量排出作用の初期段階で生成される。ピストンアクチュエータに対して回転的に係止されている接触面と、非回転部品との間の接触面は、接触境界面の少なくとも一部分にわたり流体の通過ができないという意味での密閉接触としうる。
【００１４】
本発明の第一の態様では、請求項１に記載の注入装置が提供される。これによって、ペン型注入装置が提供され、その注入装置は、一般軸に沿って延びるハウジングと、カートリッジ本体を備えるカートリッジと、貫通可能な隔壁と、ピストンとを備え、これらを一緒にして、液体物質を保持するように適合された可変容積リザーバーと、カートリッジから液体物質の用量を投与するための用量排出機構とを画定する。カートリッジは、ハウジングに対して回転的に固定される。貫通可能な隔壁は、自己密閉性であってもよく、すなわち、注入針の一部分の貫通および引き出しの後で密閉効果を再確立することができる。ピストンはゴムで作製されてもよく、または少なくとも周辺のゴム層を備えてもよい。
【００１５】
用量排出機構は、ハウジングと、例えば、ハウジング内もしくはハウジングのナット部材と螺合し、かつ一般軸を中心として回転するように構成され、これによって用量排出中にハウジングに対する螺旋状変位を受けるピストンロッドを備えるピストンロッド構造を包含し、螺旋状変位は、投与される薬物の量と相関する。用量排出機構は、ピストンロッドへと回転的に係止され、かつピストンと調和するように、例えば当接するように適合された、ピストンロッド足部も包含する。ピストンロッド足部は、ピストンロッドの一体化部分であってもよく、またはピストンロッドに取り付けられた別個の部分であってもよい。
【００１６】
注入装置は、ハウジングに対して特定の角変位を受けるピストンロッド構造に応答して検出可能な出力を生成するための出力手段をさらに備える。この特定の角変位は、カートリッジから排出される特定の薬物の量に対応する。例えば、注入装置が一定の増分で設定できる薬物の用量を排出するよう構成されている場合、生成された各々の検出可能な出力は一つのこうした増分の排出に対応しうる。出力手段は、ピストンロッド構造自体の、またはピストンロッド構造に対して回転的に係止された構成要素の、判定された角変位に基づいて検出可能な出力を生成するように適合されてもよい。
【００１７】
重要なことに、注入装置はまた、ピストンロッドの回転運動に影響を与えるブレーキ機構も備える。ブレーキ機構は、カートリッジ本体の一部を形成する第一の接触面と、ピストンロッド構造に対して回転的に係止され、かつ少なくとも注入装置の使用中に、第一の接触面と機械的に接触して配置される第二の接触面とを備える。これによって、第一の接触面および第二の接触面は、制動摩擦力の影響下で用量排出中に相対回転運動を受ける。
【００１８】
例えば、第二の接触面は、ピストンの一部を形成してもよく、ピストンおよびピストンロッド構造は、回転的に相互係止されてもよく、すなわち、ピストンとピストンロッド構造との間に（一般軸に対して）相対的な角変位を生じることができない状態であってもよい。
【００１９】
ピストンとピストンロッド構造との間のこうした回転的な連結は、ピストンが直線的に圧縮される先行技術よりも、用量排出作用の初期段階でのピストンロッド構造の回転的な動きに対してより大きい抵抗をもたらす。これに対する主要な理由は、先行技術にみられるように、ピストンの軸方向圧縮には、ピストン周辺とカートリッジ本体の内部表面との間の動きはほとんどまたは全く関与しないが、一方でピストンとピストンロッド構造とが回転的に相互係止されている時、ピストン周辺は、ピストンロッド構造が回転する時にカートリッジ本体に対して強制的に動かされ、これによって粘性摩擦力の形態の追加的抵抗が導入されるためである。この摩擦力は速度に依存するものであり、すなわち、ピストンを速く動かそうとするとより顕著になる。
【００２０】
したがってピストンロッド構造の当初の回転は遅くされ、それが特定の角変位を受けるためにかかる時間を増加させ、また最初の３〜５の検出可能な出力がより長い時間にわたり結果的に生成され、これにより連続した二つの出力の識別を容易にすることができる。これは、小用量が排出される時に特に有利でありうる。さらに、ピストンロッド構造の当初の遅延は、用量排出作用全体にわたりより均一に分散された出力を提供し、これは不均一に分散された出力が注入装置の誤作動をもたらさないかというユーザーにとって心配な状況を防止する場合がある。
【００２１】
検出可能な出力は、触覚出力、可聴出力、または触覚出力と可聴出力の両方としてもよい。これにより、ユーザーは出力感じること、および／または聴くことができ、各出力は排出される特定の薬物の量に相関するため、一回の用量排出作用の過程で排出される総量は、ユーザーが感じる出力および／または聴く出力の回数を計数することにより、判断されうる。ピストンロッド構造の当初の回転を遅くすることによって、それが触覚出力（例えば、振動など）であるか、または可聴出力（例えば、突然の音など）であるかにかかわらず、ユーザーは各生成された出力を明瞭に識別することができる。
【００２２】
触覚および可聴出力の代わりに、例えば、光学的出力または磁気的出力が生成されてもよい。
【００２３】
注入装置は、検出可能な出力を電子的に登録し、これによって自動的な用量捕捉を提供し、また手動で計数を行うことからユーザーを解放するように構成された検出機構をさらに備えてもよい。こうした検出機構は、様々な構成で実装されうる。例えば、ピストンロッド構造、またはピストンロッド構造に対して回転的に係止された構成要素が、磁石を含む場合、ピストンロッド構造の回転中に生成される磁場の変化を測定するための静止センサーが提供されてもよく、またセンサー測定値を処理するためにプロセッサーが提供されてもよい。
【００２４】
本発明の例示的な実施形態では、出力手段は、他のハウジング部分に対して撓むことができる撓み可能なハウジング部分と、ピストンロッド構造に対して回転的に係止された起動要素とを備え、前記起動要素は、ピストンロッド構造とともにハウジングに対して特定の角変位を受けるのに応答して撓み可能なハウジング部分の撓みを生じるように配置され、また検出機構は、撓み可能なハウジング部分上に配置されたセンサーであって、撓み可能なハウジング部分の撓みを検出するように適合されたセンサーと、センサーに電子的に接続され、かつセンサーによって検出された撓みを処理するように構成されたプロセッサーと、を備える。
【００２５】
ピストンロッド足部は、ピストンの端部分の中へと押し込まれる複数の、例えば、円周方向に等距離で間隔を置いた突起を備えてもよい。これによって、ピストンロッド構造の回転中にピストンを従動させるために、ピストンロッド構造からピストンへと対称なトルク分布が伝達されうる。本発明の特定の実施形態では、ピストンロッド足部は、正反対にあるこうした二つの突起を含む。
【００２６】
別の方法として、ピストンは、第一の硬度および第一の圧縮永久歪みを有する第一の境界面材料を含んでもよく、またピストンロッド足部は、第一の境界面材料と加圧当接するように配置され、第一の硬度より小さい第二の硬度、および第一の圧縮永久歪みよりも高い第二の圧縮永久歪みを有する、第二の境界面材料を含んでもよい。これによって、ピストンとピストンロッド足部との間の粘着接続が、ピストンおよびピストンロッド構造との接合部の回転を確実にするために提供されうる。
【００２７】
ピストンの一部を形成する代わりに、第二の接触面がピストンロッド足部の一部を形成してもよく、これによって、ピストンに回転的に相互係止接続することなしに、ピストンロッド構造の当初の回転の遅延が達成されうる。例えば、ピストンロッド足部には、カートリッジ本体の内部表面と接触して配置された、または配置されるように適合された、例えば、ゴム製の、リップ様の構造が提供されてもよい。
【００２８】
本発明の特定の実施形態では、第二の接触面は、上述の第二の境界面材料から形成され、また当初のピストンロッド構造の動きの望ましい遅れは、それゆえに回転するピストンとカートリッジ本体の内部表面に沿って摺動するそれぞれの表面を有する回転するピストンロッド足部との組み合わせによって達成される。
【００２９】
注入装置は、ピストンロッド構造を回転させるためにエネルギーを放出するように適合された電力ユニットをさらに備えてもよい。出力ユニットは、例えば、圧縮バネもしくはねじりバネなどのバネ部材、圧縮ガスアクチュエータ、電気化学アクチュエータ、ろうアクチュエータ、形状記憶合金、またはエネルギーを貯蔵および放出することができるような構造であってもよく、またはこれらを備えてもよい。
【００３０】
本発明の第二の態様では、ａ）一般軸に沿って延びるハウジングと、ｂ）カートリッジ本体、貫通可能な隔壁、およびピストンを備え、一緒にして液体物質を保持するように適合された可変容積リザーバーを画定する、カートリッジであって、ハウジングに対して回転的に固定されているカートリッジと、ｃ）液体物質の用量をカートリッジから排出するための用量排出機構であって、ピストンを前進させるためのピストンロッド構造を備え、ピストンロッド構造がハウジングと螺合し、かつ回転するように適合されたピストンロッドを備え、これによって、用量排出中にカートリッジ本体に対して螺旋状の動きを受ける、用量排出機構と、ｄ）所定の用量増分の排出に対応するピストンロッドのある角変位において検出可能な出力を生成する出力手段であって、それによって用量排出事象中に生成される検出可能な出力の総数が排出用量のサイズを表示する、出力手段と、ｅ）検出可能な出力を電子的に登録するように適合された検出手段とを備える、ペン型注入装置が提供される。ペン型注入装置は、ピストンロッドの回転運動を遅くするように構成されたブレーキ機構をさらに備え、ブレーキ機構は、ピストンの一部を形成する第一接触面と、第一の接触面と接触して配置された、または配置するように適合された第二の接触面とを備え、第二の接触面はピストンロッドに対して回転的に係止される。
【００３１】
これによって注入装置が提供され、ピストンと第二の接触面との間の接触境界面の摩擦がピストンロッドの回転運動を制動し、結果として注入装置上または注入装置によって実施される用量排出作用の初期段階でより識別可能な出力が出力手段によって生成される。
【００３２】
ピストンロッド構造は、ピストンと調和するように適合されたピストンロッド足部をさらに備えてもよい。ピストンロッド足部は、ピストンロッドへと回転的に係止されてもよく、またはピストンロッドと回転的に独立していてもよい。ピストンロッド足部がピストンロッドへと回転的に係止されている場合、第二の接触面はピストンロッド足部の一部を形成してもよく、また第一の接触面はピストンの近位端の一部分を構成してもよい。例示的な実施形態では、ピストンロッド足部はピストンロッドの一部を形成する。
【００３３】
例えば、ピストンロッド足部がピストンロッドとは回転的に独立している場合など、別の場合には、第二の接触面は、例えば、ピストンロッドの遠位端部分などのピストンロッドの一部を形成してもよく、また第一の接触面は、ピストンの近位端の一部分、例えば、ピストンロッドの遠位端部分を隙間なく受容するように形成された窪みを構成してもよい。
【００３４】
出力手段および検出手段は、例えば、上記に例示されるように実現されてもよい。
【００３５】
本明細書で使用される場合、「遠位」および「近位」という用語は、薬物送達装置に沿った位置または方向を示し、「遠位」は薬物出口端を指し、また「近位」は薬物出口端の反対側の端を指す。
【００３６】
本明細書において、特定の態様または特定の実施形態（例えば、「態様」、「第一の態様」、「一実施形態」、「例示的な実施形態」など）への言及は、それぞれの態様または実施形態に関連して説明される特定の特徴、構造、または、特性が、少なくとも本発明のその一態様または実施形態に含まれるか、または固有のものであるが、必ずしも本発明のすべての態様または実施形態であるわけでもそれらに含まれるわけでもないことを、表明する。しかしながら、本発明に関連して説明した様々な特徴、構造および／または特性の任意の組み合わせが、本明細書に明示的に記載されていない限り、または明確に文脈上矛盾しない限り、本発明に包含されることが強調される。
【００３７】
本文中のありとあらゆる例、または例示的な言語（例えば、など）の使用は、単に本発明をよりよく明らかにすることを意図したものであり、別段の特許請求がされていない限り、本発明の範囲を制限するものではない。さらに、本明細書中のいずれの言語または言い回しも、特許請求されていないいずれかの要素が本発明の実施に必須であると示しているとは解釈されない。
【００３８】
以下において、本発明を、図面を参照しながらさらに説明する。
【図面の簡単な説明】
【００３９】
【図１】図１は、本発明の例示的な実施形態による注入装置の分解組立図である。
【図２】図２は、図１の注入装置の斜視図である。
【図３ａ】図３ａは、注入装置の一部分の長軸方向の断面図であり、それぞれ送達される最初の用量を設定する直前の状態における注入装置、および最初の用量の送達の直後の状態における、注入ボタンの解放前の注入装置を示す。
【図３ｂ】図３ｂは、注入装置の一部分の長軸方向の断面図であり、それぞれ送達される最初の用量を設定する直前の状態における注入装置、および最初の用量の送達の直後の状態における、注入ボタンの解放前の注入装置を示す。
【図４ａ】図４ａは、別の断面平面における注入装置の一部分の長軸方向の断面図である。
【図４ｂ】図４ｂは、別の断面平面における注入装置の一部分の長軸方向の断面図である。
【図５】図５は、用量送達検出機構を示す、注入装置ハウジングの近位部分の斜視図である。
【図６】図６は、注入装置ハウジングの近位部分の近位斜視図である。
【図７】図７は、注入装置の断面図であり、用量設定検出機構を示す。
【図８】図８は、ピストンとピストンロッド部材との間の例示的な連結を示す、注入装置の一部分の長軸方向断面図である。
【図９】図９は、本発明の別の例示的な実施形態による注入装置の一部分の長軸方向断面図である。
【図１０】図１０は、図９の注入装置に使用されるピストンワッシャーの斜視正面図である。
【図１１】図１１は、付属のピストンロッドをともなうピストンワッシャーの斜視背面図である。
【図１２】図１２は、本発明のさらなる例示的な実施形態による注入装置の一部分の長軸方向断面図である。
【図１３】図１３は、本発明のなおさらなる例示的な実施形態による注入装置の一部分の長軸方向断面図である。
【発明を実施するための形態】
【００４０】
図面において、同様の構造物は、主として同様の参照番号で識別される。
【００４１】
以下の相対的な表現において、「時計回り」および「反時計回り」、「左」および「右」などの相対的な表現が使用される場合、これらは添付の図を参照し、必ずしも使用の実際の状況を参照しない。示される図は、概略表現であり、そのため、異なる構造の構成だけでなく、その相対的寸法も、例示的な目的のみを果たすことが意図される。
【００４２】
図１は、本発明の例示的な第一の実施形態によるペン注入装置１の分解組立図である。ペン注入装置１は、わずかに湾曲した情報表示表面３およびより従来通りに湾曲した反対側の表面４を有する円筒状ハウジング２を備える。ハウジング２は、その遠位端で開口部５を通して挿入された薬物を収容するカートリッジ１０を適合する。カートリッジ１０（ほぼ円筒形状のカートリッジ本体１０．１を有する）は、その遠位端において貫通可能な自己密閉隔壁１１によって、また近位端においてゴムピストン１５によって閉じられ、カートリッジホルダ１２によってハウジング２内に保持され、一対のスナップアーム１４によってハウジング２の近位内部表面にスナップ止めされる。カートリッジホルダ１２はさらに針マウント１３を有し、これによって注入針ユニット（図示せず）のための取り付け境界面として機能する。
【００４３】
ハウジング２には、カートリッジ内容物の点検のための長軸方向のウィンドウ６が提供され、用量設定機構および注入機構の両方をさらに適合する。カートリッジ１０内のピストン１５は、ハウジング２の一部を形成するナット部材１７（図３ａを参照）を通して螺旋状に前進するように配置された非円形断面の細長い二重螺刻ピストンロッド６０によって変位されるように適合される。ピストンロッド６０の遠位端は半径方向に拡大されており、ピストン１５と機械的に相互作用するように適合されたピストンロッド足部６１を提供する。対向する二つのスパイク６２は、ピストンロッド足部６１の遠位端面から軸方向で遠位方向に延びる。ピストンロッド足部６１の遠位端面がピストン１５の近位端面に当接する時、その外部はゴム材料を備え、スパイク６２はゴムの中へと貫通してその中に内在し、ピストンロッド６０とピストン１５との間の回転的相互係止接続を確立する。薬物の排出中に、ピストンロッド６０は、下記にさらに説明するように、設定ナット３０によって作動された結果としてピストンロッド足部６１を介してピストン１５上に圧力を加え、かつピストン１５にトルクを適用する。
【００４４】
設定ナット３０は、外側環状壁３１およびピストンロッド６０を受容するための円形の開口部３３を有する内側ナット構造３２を有する。内側ナット構造３２は、対向する一対のスペーサ脚部３５によって外側環状壁３１から半径方向に分離される。クラッチ２０は、設定ナット３０の遠位に配置され、かつピストンロッド６０と噛み合い係合するための歯付きリム２１および非円形構成の中央開口部２２を有し、両者の回転相互係止を提供する。クラッチ２０は、ハウジング２に回転的に係止されている近位用量設定位置と、ハウジング２に関して自由に回転する遠位用量排出位置との間で、ハウジング２内で軸方向に移動可能である。
【００４５】
用量ダイヤルノブ５０は、ハウジング２の中へとその近位端から延びる。用量ダイヤルノブ５０は、端部ボタン５３の操作によってハウジング２の長軸方向軸を中心として回転可能な円筒状の主本体５１を備える。端部ボタン５３のすぐ遠位に主本体５１には波型カラー５２が設けられる。端部ボタン５３は、ハウジング２に対する用量ダイヤルノブ５０の遠位移動を制限するように機能する主本体５１よりも大きい直径を有する。いくつかのフック付きのフィンガー５４が、クラッチ２０上のフック付きスタブ２３（図３ａを参照）と係合するために主本体５１の遠位端において提供され、用量ダイヤルノブ５０とクラッチ２０との間に軸方向に相互係止接続を提供する。一対の対向するスロット５５は、波型カラー５２からフック付きフィンガー５４へと長軸方向に延びる。各スロット５５は、スペーサ脚部３５のうちの一つを受容するように適合され、用量ダイヤルノブ５０と設定ナット３０との間で回転的に相互係止されるが、軸方向には自由な接続を提供される。
【００４６】
圧縮バネ４０は、端部ボタン５３の内部表面と設定ナット３０の近位表面との間で作用するように配置される。
【００４７】
情報表示表面３の中央区域８内のハウジング２に関して、一部の壁材料が除去されて、半径方向に撓み可能な中央カンチレバーアーム８．１を提供し、情報表示表面３の近位区域９では、より多くの壁材料が除去されて、前方指示の半径方向に撓み可能な近位カンチレバーアーム９．１と、後方指示の半径方向に撓み可能な近位カンチレバーアーム９．２を提供する。
【００４８】
可撓性のラベル８０が情報表示表面３に接着される。ラベル８０は、ディスプレイ８１の形態であるプリント電子機器と、プロセッサーおよびメモリーモジュールを含むチップ８２と、中央圧電センサー９０と、第一の近位圧電センサー９１と、第二の近位圧電センサー９２と、電池９５と、チップ８２を他の電子構成要素の各々と電気的に接続する様々なリード線８５とを担持する。ラベル８０は、中央圧電センサー９０が中央カンチレバーアーム８．１上に定置され、第一の近位圧電センサー９１が、前方指示の半径方向に撓み可能な近位カンチレバーアーム９．１上に定置され、かつ第二の近位圧電センサー９２が、後方指示の半径方向に撓み可能な近位カンチレバーアーム９．２上に定置されるように、情報表示表面３上に設置される。
【００４９】
図２は、情報表示表面３に接着されたラベル８０を詳述する組み立てた状態のペン注入装置１を示す。ディスプレイ８１は、２セグメントの百の桁８１．１および二つの７セグメントの十の桁、一の桁、８１．２および８１．３を備える１６セグメントエレクトロクロミックディスプレイである。表示８１は、チップ８２によって制御される範囲［０単位；１９９単位］の用量数を示すことができる。中央圧電センサー９０は、中央のカンチレバーアーム８．１の半径方向の撓みの間、曲げられ、そしてチップ８２によって検出される短いピーク信号を結果的に発する。同様に、第一の近位圧電センサー９１は、前方指示の半径方向に撓み可能な近位カンチレバーアーム９．１の半径方向の撓みの間、曲げられ、また第二の近位圧電センサー９２は、後方指示の半径方向に撓み可能な近位カンチレバーアーム９．２の半径方向の撓みの間、曲げられ、各近位圧電センサー９１、９２は、曲げられたことに応答してチップ８２へと信号を発する。圧電センサーのいずれかからの電圧出力は、チップ８２内のプロセッサーを目覚めさせるのに十分である。
【００５０】
図３ａおよび図３ｂは両方とも、最初の用量を設定する直前の、および最初の用量の排出を完了した直後のそれぞれの、ペン注入装置１の（およそ）近位の半分の長軸方向の断面図である。
【００５１】
図４ａは、図３ａに示す状態でのペン注入装置１の中央部の別の断面平面での長軸方向の断面図であり、また図４ｂは、同様に、図３ｂに示す状態でのペン注入装置１の中央部の別の断面平面での長軸方向の断面図である。
【００５２】
したがって、図３ａおよび図４ａは、ペン注入装置１の用量設定状態での様々な構成要素の相互関係位置を示す。具体的には、用量設定状態では、端部ボタン５３が圧縮バネ４０によってハウジング２の近位端から軸方向に間隔を置き、フック付きフィンガー５４とフック付きスタブ２３との間の境界面が、それに応じてクラッチ２０を近位用量設定位置に維持することを、図３ａから見ることができる。この位置では、クラッチ２０は、歯付きリム２１とハウジングの内部に形成されたいくつかの長軸方向のスプライン１８（図４ａを参照）との間の係合に起因して、ハウジング２に対して回転的に係止される。クラッチ２０は、ハウジング２内の停止表面１６によって、この位置を超えるさらなる近位変位から防止される。
【００５３】
一方で、図３ｂおよび図４ｂは、ペン注入装置１の薬物排出状態、より具体的には、薬物排出機構によって実施される薬物排出作用の終了時における状態で、そして同時に端部ボタン５３がハウジング２に対して押されている状態における、様々な構成要素の相互関連位置を示す（図３ｂを参照）。こうした用量ダイヤルノブ５０が押された状態では、フック付きフィンガー５４はクラッチ２０を遠位用量排出位置へと押し込むことになり、ここで歯付きリム２１はスプライン１８から係脱されることがわかる（図４ｂ参照）。また、薬物排出作用の終了時に、設定ナット３０の外側環状壁３１が、スプライン１８のそれぞれの近位端表面によって構成されるハウジング２内の投与終了停止部１９に対して置かれることもわかる（図４ｂ参照）。
【００５４】
図５は、薬物排出作用中のクラッチ２０と中央のカンチレバーアーム８．１との間の相互作用を図示するための断面の斜視図である。クラッチ２０が用量排出位置で回転する時、歯付きリム２１はハウジング２の内部壁表面に沿って動き、そして歯付きリム２１上の歯が、中央のカンチレバーアーム８．１上の内向きに方向付けられた突起部８．２が通過するとき、中央のカンチレバーアーム８．１が、半径方向外向きに撓み、また戻り、クリックを生成する。クラッチ２０の角変位は、クラッチ２０とピストンロッド６０との間の回転の相互係止関係に起因して、排出される薬物の量と相関し、そしてこの実施形態では、中央のカンチレバーアーム８．１の各々のこうした撓みの戻りは、排出された薬物の一つの増分単位に対応する。したがって、ペン注入装置１のユーザーは、中央のカンチレバーアーム８．１からのクリックの数を数えることによって、投与した用量を判定することができる場合がある。
【００５５】
図６は、近位カンチレバーアーム９．１、９．２の内部壁部分を示す、ハウジング２の近位端部分の斜視図である。前方指示の半径方向に撓み可能な近位カンチレバーアーム９．１には内向きに方向付けられた突起部９．３が設けられ、また後方指示の半径方向に撓み可能な近位カンチレバーアーム９．２には別の内向きに方向付けられた突起部９．４が設けていることがわかる。
【００５６】
図７は、ペン注入装置１の近位端部分を通した断面図であり、用量設定作用中の波型カラー５２と近位カンチレバーアーム９．１、９．２との間の相互作用を図示する。波型カラー５２が用量ダイヤルノブ５０の一部を形成するので、端部ボタン５３の回転によって、波型カラー５２の対応する回転が生じる。図７に示される波型カラー５２とハウジング２との相対位置では、中央隆起部５２．０が内向きに方向付けられた突起部９．３、９．４の間に定置される。一方で、中央隆起部５２．０のすぐ左にある第一の左隆起部５２．１は、内向きに方向付けられた突起部９．３の左側面に隣接して定置され、中央隆起部５２．０のすぐ右にある第一の右隆起部５２．２は、内向きに方向付けられた突起部９．４の右側面に隣接して定置される。
【００５７】
この位置から端部ボタン５３を時計回りに回転させると、最初に第一の左隆起部５２．１が内向きに方向付けられた突起部９．３を通過し始める。これによって、前方指示の半径方向に撓み可能な近位カンチレバーアーム９．１を撓ませ、そしてその直後に、中央隆起部５２．０が内向きに方向付けられた突起部９．４の通過を開始し、これによって、後方指示の半径方向に撓み可能な近位カンチレバーアーム９．２を撓ませる。
【００５８】
逆に、示された位置から端部ボタン５３を反時計回りに回転させると、最初に第一の右隆起部５２．２が内向きに方向付けられた突起部９．４を通過し始める。これによって、後方指示の半径方向に撓み可能な近位カンチレバーアーム９．２を撓ませ、そしてその直後に、中央隆起部５２．０が内向きに方向付けられた突起部９．３の通過を開始し、これによって、前方指示の半径方向に撓み可能な近位カンチレバーアーム９．１を撓ませる。波型カラー５２上の隆起部が内向きに方向付けられた突起部９．３、９．４のうちの一つを通過するたびに、クリックが生成される。
【００５９】
用量ダイヤルノブ５０の角変位は、それぞれのスペーサ脚部３５とスロット５５との間の係合およびナット構造３２とピストンロッド６０との間のねじ接続により、設定ナット３０の軸方向変位と相関しており、それによって送達用の用量セットを決定する。この実施形態では、内向きに方向付けられた突起部９．３、９．４のうちのそれぞれーつを連続して通過する波型カラー５２上の二つの隣接する隆起によって引き起こされる近位カンチレバーアーム９．１、９．２の固有の一対の撓みは、一つの増分単位による設定用量の変化に対応する。
【００６０】
言い換えれば、例えば、端部ボタン５３が図７に示す位置から時計回りに回転した場合に、第一の左隆起部５２．１が内向きに方向付けられた突起部９．３を通過し、そして続いて、中央隆起部５２．０が、内向きに方向付けられた突起部９．４を通過するとき、一単位だけの用量の変化が生じる。これら二つの隆起部の角変位は、近位カンチレバーアーム９．１、９．２の第一の前方指示の固有の一対の撓みを生成した。端部ボタン５３をさらに時計回りに回転させると、第一の左隆起部５２．１のすぐ左にある第二の左隆起部５２．３が内向きに方向付けられた突起部９．３を通過し、そして続いて、第一の左隆起部５２．１が、内向きに方向付けられた突起部９．４を通過したときに、一単位だけの用量の別の変化が生じる。これらの二つの隆起部の角変位は、近位カンチレバーアーム９．１、９．２の第二の前方指示の固有の一対の撓みを生成し、などと続く。
【００６１】
一方、端部ボタン５３が図７に示す位置から反時計回りに回転した場合に、第一の右隆起部５２．２が内向きに方向付けられた突起部９．４を通過し、そして続いて、中央隆起部５２．０が、内向きに方向付けられた突起部９．３を通過するとき、一単位だけの用量の変化が起こる。これら二つの隆起部の角変位は、近位カンチレバーアーム９．１、９．２の第一の後方指示の固有の一対の撓みを生成した。端部ボタン５３をさらに反時計回りに回転させると、第一の右隆起部５２．２のすぐ右にある第二の右隆起部５２．４が内向きに方向付けられた突起部９．４を通過し、そして続いて第一の右隆起部５２．２が、内向きに方向付けられた突起部９．３を通過したときに、一単位だけの用量の別の変化が生じる。これらの二つの隆起部の角変位は、近位カンチレバーアーム９．１、９．２の第二の後方指示の固有の一対の撓みを生成し、などと続く。
【００６２】
具体的には、各前方指示の固有の一対の撓みは、一単位だけの設定用量の段階的な増加を生じ、また各後方指示の固有の一対の撓みは、一単位だけの設定用量の段階的な減少を生じる。
【００６３】
以下では、本発明を、第一の実施形態によるペン注入装置１の使用に関連して説明する。
【００６４】
図２では、ペン注入装置１は、用量設定状態にあり、ここでは端部ボタン５３はハウジング２から軸方向に間隔を置いている。この状態では、カートリッジ１０から送達される用量は、ユーザーが端部ボタン５３を長軸方向軸を中心として回転させることによって設定される。
【００６５】
ピストンロッド６０は、ナット部材１７内のねじと噛み合う第一の非自己係止ねじと、ナット構造３２内のねじと噛み合う重なり合う逆巻の第二の非自己係止ねじを備え、２：１の機械的利点を提供する。
【００６６】
設定ナット３０と用量ダイヤルノブ５０との間の回転的な相互係止関係に起因してナット構造３２は、ダイヤルアップ動作で端部ボタン５３が（ペン注入装置１の近位端から見て）時計回りに回転する時、ピストンロッド６０の第二の非自己係止ねじに沿って近位に移動する。用量設定位置のクラッチ２０は、ピストンロッド６０がハウジング２に対して回転するのを防止する。設定ナット３０の近位変位は、これによってエネルギーを貯蔵する圧縮バネ４０を圧縮する。
【００６７】
用量ダイヤルノブ５０は、圧縮バネ４０が最大使用時圧縮を経験するときであっても、波型カラー５２とそれぞれの内向きに方向付けられた突起部９．３、９．４との間の係合に起因して、端部ボタン５３に対するユーザーが誘発するトルクの非存在下で回転することが防止される。早期に伸びる圧縮バネ４０によって生じる設定ナット３０の意図しない遠位戻り変位が、これによって防止される。したがって、クラッチ２０が、ピストンロッド６０の回転が防止されているその用量設定位置にある限り、設定ナット３０は、ハウジング２に対する並進運動を実施することができず、ユーザーがダイヤルダウン動作で端部ボタン５３を反時計回りに回転させた場合にのみ、第二の非自己係止ねじに沿った螺旋状の遠位運動を実施することができる。したがって、圧縮バネ４０は、ユーザーが用量設定動作を完了した時に圧縮されたままである。
【００６８】
設定ナット３０をピストンロッド６０の第二の非自己係止ねじに沿って動かすことによって、上述のように、波型カラー５２の隆起部はそれぞれの内向きの突起部９．３、９．４を通過し、前方指示の半径方向に撓み可能な近位カンチレバーアーム９．１および後方指示の半径方向に撓み可能な近位カンチレバーアーム９．２の撓みを生じる。前方指示の半径方向に撓み可能な近位カンチレバーアーム９．１の各撓みにて、第一の近位圧電センサー９１は第一のセンサー信号を発し、また後方指示の半径方向に撓み可能な近位カンチレバーアーム９．２の各撓みにて、第二の近位圧電センサー９２が第二のセンサー信号を発する。
【００６９】
したがって、上記の説明による各前方指示の固有の一対の撓みは、第二のセンサー信号が続く第一のセンサー信号からなる、前方指示の固有の信号対、ＳＰｆを促す。チップ８２は、このような前方指示の固有の信号ペアを登録すると直ちに、現在表示されている数字に追加される単位の形態の増加増分によって、表示８１を更新するよう構成される。
【００７０】
これに対応して、上記の説明による各後方指示の固有の撓みの対は、第一のセンサー信号が続く第二のセンサー信号からなる、後方指示の固有の信号対ＳＰｂを促し、チップ８２は、このような後方指示の固有の信号ペアを登録すると直ちに、現在表示されている数字から減算される単位の形態の減少増分によって、表示８１を更新するよう構成される。したがって、表示８１は、設定用量のリアルタイムの電子的な視覚的表示を提供する。
【００７１】
設定用量（図３ｂを参照）を排出するため、ハウジング２に対して端部ボタン５３を押すことによって、フック付きフィンガー５４がその用量排出位置へと遠位にクラッチ２０を付勢し、これによって歯付きリム２１をスプライン１８から係脱し（図４ｂを参照）、かつ圧縮バネ４０を解放する。圧縮バネ４０から貯蔵されたエネルギーは設定ナット３０を遠位に押し、そしてナット構造３２の結果としてもたらされる並進運動が、ピストンロッド６０およびクラッチ２０を回転させる。したがって、ピストンロッド６０は、ナット部材１７を通して螺旋状に前進し、またピストンロッド足部６１上のスパイク６２によって、ピストン１５は、カートリッジ１０に対して螺旋状の遠位の動きを受け、これによって、設定された薬物の用量を取り付けられた注入針（図示せず）を通して排出する。図８は、ペン注入装置１の遠位の（ほぼ）半分の長軸方向断面図であり、ピストンロッド６０とピストン１５との間の回転的相互係止接続を示す。
【００７２】
従来の当初のその圧縮とは対照的に、ピストン１５の当初の螺旋状の動きが、ピストン１５とカートリッジ１０との間の接触境界面に摩擦を導入し、これがピストンロッド６０の回転に対する抵抗を著しく増加させる。ピストン１５の周辺部分１５．１とカートリッジ本体１０．１の内部表面１０．２との間に生じる摩擦は速度依存性の粘性摩擦であり、これは当初のバネ力（またはトルク）が、バネが次第に緩むのに伴う、生成される力（またはトルク）の固有の低下を考慮して大きいため、薬物排出機構がバネにより動力供給される本発明の実施形態では特に顕著になる。
【００７３】
結果として、クラッチ２０の回転は減速され、また中央のカンチレバーアーム８．１によって生成されるクリックの間の時間は、電子的におよびヒトの耳によっての両方で二つの連続するクリックの間の明確な識別を可能にするのに十分なだけ増加する。
【００７４】
薬物の排出は、ピストンロッド６０が、およびこれによってクラッチ２０も回転を停止する地点である、外側環状壁３１が投与終了停止部１９に当接するまで続く。薬物排出作用の間のクラッチ２０の角変位により、歯付きリム２１の歯は、内向きに方向付けられた突起部８．２を通過し、上述のように、中央のカンチレバーアーム８．１の撓みを生じる。中央のカンチレバーアーム８．１の各撓みにおいて、中央圧電センサーは中央センサー信号Ｓｃを発し、またチップ８２は、こうした中央センサー信号を登録すると直ちに、現在表示されている数字から減算される単位の形態の減少増分によって、表示８１を更新するよう構成される。したがって、表示８１は、排出される薬物の用量のリアルタイムの電子的な視覚的表示も提供する。
【００７５】
通常進行中の用量送達中に、外側環状壁３１が投与終了停止部１９に達し、そして「０」または薬物排出作用が終了したことを示すその他の何らかの表示が表示される地点でクラッチ２０が回転を停止するまで、表示器８１は、投与のカウントダウンを示す。しかしながら、チップ８２は、受信した中央センサー信号の数字が、登録された前方指示の特有の信号対の数から後方指示の固有の信号ペアの数字を差し引いた数字と等しくない場合、すなわち、ΣＳｃ≠ΣＳＰｆ−ΣＳＰｂである場合、表示８１を更新して、「−−」のような、エラー表示を表示するようにさらに構成される。
【００７６】
あらゆる正常に進行する用量送達（ここで、ΣＳｃ＝ΣＳＰｆ−ΣＳＰｂ））の場合、チップ８２は、送達される用量のサイズおよび対応する送達時間を表す値を保存するように構成される。保存されたデータは、例えば、無線通信リンク（図示せず）を介して外部装置（図示せず）に転送されてもよく、または外部装置によって要求されてもよい。
【００７７】
図９は、本発明の別の実施形態によるペン注入装置の遠位部分の長軸方向断面図である。具体的には、図はハウジング１０２内に適合されたカートリッジ本体１１０．１を有するカートリッジ１１０を示す。ピストンロッド１６０は、カートリッジ１１０内に収容される薬物の用量を排出するために、二構成要素ピストンワッシャー１６１（図１０を参照）を介して圧力を加え、かつカートリッジ１１０のピストン１１５にトルクを適用するように構成される。本発明のこの第二の実施形態によるペン注入装置は、これまでに開示されているペン注入装置１と基本的に、かつ機能的に類似しており、ピストン１１５とピストンロッド１６０との間の回転連結のみがこれまでの解決策とは異なる。
【００７８】
ピストンワッシャー１６１は、剛直なワッシャーコア１６５およびより柔らかい境界面本体１６２を備え、後者はピストン１１５との相互作用に適した遠位端面１６３と、カートリッジ本体１１０．１の内部表面１１０．２との機械的接続のためのリップ１６４との両方を提供する。より具体的には、遠位端面１６３は、複数の突起１９９を持つピストン１１５の近位端面に当接するように適合される。ワッシャーコア１６５および境界面本体１６２は、固定的に接続され、すなわち、二つの間には相対回転運動が起こりえない。
【００７９】
図１０は、ピストンワッシャー１６１の斜視遠位図であり、一方で図１１はピストンワッシャー１６１の斜視近位図であり、ピストンロッド１６０の遠位部分も示している。見ることができるように、ピストンロッド１６０は非円形の断面および正方形遠位端１６９を有する。ワッシャーコア１６５は、正方形の遠位端１６９を受容するように構成された近位に面した空洞１６６を提供するように形成され、それによってピストンロッド１６０とピストンワッシャー１６１との間に回転的に相互係止された接続を提供する。よって、ハウジング１０２に対するピストンロッド１６０の各角変位は、ピストンワッシャー１６１へと伝達される。
【００８０】
カートリッジ本体１１０．１の内部表面１１０．２と境界面を形成するリップ１６４は、ピストンワッシャー１６１の角変位に対する摩擦抵抗を提供し、これはピストンロッド１６０の回転の初期速度を、それ自体で当初のクリックを可聴的および／または電子的な識別が可能なレベルにまで低減するのに十分な程度のものである。
【００８１】
しかしながら、この特定の実施形態では、さらに、境界面本体１６２は、ピストン１１５の近位端面より柔らかく、かつピストン１１５よりも高い圧縮永久歪みを有する材料で作製される。この結果、ピストンワッシャー１６１およびピストン１１５が互いに対して押された時に、突起１９９は遠位端面１６３の中へと沈み、突起は実際にはそれ自体の変形を回避する。境界面本体１６２は、約６０％の圧縮永久歪みを有するＴＰＥである。数時間のみの加圧された接触の後、ピストン１１５の近位端面への遠位端面１６３の接着はとても強力なものとなり、ピストンワッシャー１６１とピストン１１５との間の回転的相互係止接続が確立され、したがってピストンロッド１６０の回転はピストン１１５の従動的な回転を結果的にもたらし、これによって、ピストン１１５の周辺部分１１５．１は、カートリッジ本体１１０．１の内部表面１１０．２に沿って摺動し、ピストンロッド１６０の制動に対する追加的な寄与を提供することになる。
【００８２】
図１２は、本発明のなお別の例示的な実施形態による注入装置の中央部分の長軸方向断面図である。図は、ハウジング２０２へと取り付けられ、かつピストン２１５によって密封されるカートリッジ２１０を示す。ピストンロッド２６０は、ハウジング２０２と螺合され、かつ用量投与中に遠位方向に螺旋状に前進するように適合される。ピストンロッド足部２６１は、ピストンロッド２６０の軸方向変位がピストンロッド足部２６１に伝達され、かつさらにピストン２１５に伝達されるように、ピストンロッド２６０の遠位部分を中心として配置される。
【００８３】
ピストンロッド２６０は、ピストン２１５の近位部分の窪み２１５．２内に隙間なく適合される遠位スタッド２６４内で終わる。ピストンロッド２６０が回転する時、ピストンロッド２６０を減速させる回転しないピストン２１５に起因して、スタッド２６４は窪み２１５．２に対して摩擦に影響された動きを受ける。したがって、ピストンロッド２６０の角変位は、例えば、上述の機構に類似した機構を使用して判定することがより容易になる。
【００８４】
図１３は、本発明のなお別の例示的な実施形態による注入装置の中央部分の長軸方向断面図である。図は、ハウジング３０２に取り付けられ、かつピストン３１５によって密封されるカートリッジ３１０を示す。ピストンロッド３６０は、ハウジング３０２と係合し、かつ用量投与中に遠位方向に螺旋状に前進するように適合される。
【００８５】
ピストンロッド足部３６１は、その遠位端においてピストンロッド３６０と一体的に形成される。ピストンロッド足部３６１は、ピストン３１５の近位端表面３１５．２と当接して配置され、したがって、回転するピストンロッド３６０の回転中に、すなわち用量投与中に、回転しないピストン３１５に起因して、近位端表面３１５．２に対して摩擦に影響された動きを受ける。したがって、ピストンロッド３６０の回転は遅くされ、例えば、上述のものと類似したカンチレバーアームによって生成される各信号の捕捉が可能になる。
【図１】
2020519356.tif 000003
【図２】
2020519356.tif 000004
【図３ａ】
2020519356.tif 000005
【図３ｂ】
2020519356.tif 000006
【図４ａ】
2020519356.tif 000007
【図４ｂ】
2020519356.tif 000008
【図５】
2020519356.tif 000009
【図６】
2020519356.tif 000010
【図７】
2020519356.tif 000011
【図８】
2020519356.tif 000012
【図９】
2020519356.tif 000013
【図１０】
2020519356.tif 000014
【図１１】
2020519356.tif 000015
【図１２】
2020519356.tif 000016
【図１３】
2020519356.tif 000017
【国際調査報告】
2020519356.tif 000018
2020519356.tif 000019
2020519356.tif 000020
2020519356.tif 000021